(57)【要約】【課題】対物レンズとレンズホルダーの間の隙間を十分に封止することができ、しかも、未硬化の封止剤の内部への侵入を防止して、情報記録媒体とのアクセス性能が長期間にわたって安定した性能の光ヘッドを提供することを目的とする。【解決手段】基端がレンズホルダー７Ａの段部１６に接続され先端部で前記対物レンズを支持する突起１７を設け、レンズホルダー７Ａの段部１６で前記突起１７の外周側に、凹部１８を設け、レンズホルダー７Ａと対物レンズ９Ａの間に注入されて硬化した封止剤２１を設け、注入された封止剤２１の一部を凹部１８に収容可能に構成した。【選択図】図３
2007133916.tif 000002
【特許請求の範囲】
【請求項１】
レンズホルダーに形成された貫通孔に光軸が位置するように対物レンズを前記レンズホルダーに取り付け、前記レンズホルダーを駆動して光源の出射光を前記対物レンズを介して集光して情報記録媒体にアクセスする光ヘッドであって、
前記レンズホルダーに、前記対物レンズを支持する突起と、前記突起よりも外周側に形成された凹部を設け、前記レンズホルダーと前記対物レンズの間に注入されて硬化した封止剤を設け、注入された前記封止剤の一部を前記凹部に収容可能に構成した
光ヘッド。
【請求項２】
レンズホルダーに形成された貫通孔の内周に、対物レンズを支持する段部を形成し、レンズホルダーを駆動して光源の出射光をこのレンズホルダーに取り付けられた前記対物レンズを介して集光して情報記録媒体にアクセスする光ヘッドであって、
基端がレンズホルダーの前記段部に接続され先端部で前記対物レンズを支持する突起を設け、レンズホルダーの前記段部で前記突起の外周側に、前記段部の上面よりも低い凹部を設け、前記レンズホルダーと前記対物レンズの間に注入されて硬化した封止剤を設け、注入された前記封止剤の一部を前記凹部に収容可能に構成した
光ヘッド。
【請求項３】
前記凹部を、前記突起の基端部に接して形成した
請求項２記載の光ヘッド。
【請求項４】
レンズホルダーに形成された貫通孔に光軸が位置するように対物レンズを前記レンズホルダーに取り付け、前記レンズホルダーを駆動して光源の出射光を前記対物レンズを介して集光して情報記録媒体にアクセスする光ヘッドであって、
前記対物レンズの外周部に形成されて前記レンズホルダーに当接する鍔部を設け、前記鍔部の上面に凹部を設け、前記レンズホルダーと前記対物レンズの隙間に注入されて硬化した封止剤を設け、注入された前記封止剤の一部を前記凹部に収容可能に構成した
光ヘッド。
【請求項５】
レンズホルダーに形成された貫通孔の内周に、対物レンズを支持する段部を形成し、レンズホルダーを駆動して光源の出射光をこのレンズホルダーに取り付けられた前記対物レンズを介して集光して情報記録媒体にアクセスする光ヘッドであって、
前記対物レンズの外周部に形成されてレンズホルダーの前記段部に当接する鍔部を設け、前記鍔部の上面に凹部を設け、前記レンズホルダーと前記対物レンズの間に注入されて硬化した封止剤を設け、注入された前記封止剤の一部を前記凹部に収容可能に構成した
光ヘッド。
【請求項６】
前記対物レンズと凹部付きの前記鍔部とを一体に形成した
請求項５記載の光ヘッド。
【請求項７】
前記封止剤が光硬化型接着剤である請求項１〜請求項６の何れかに記載の光ヘッド。
【請求項８】
請求項１〜請求項７の何れかに記載の光ヘッドを搭載した光ディスク装置。
【発明の詳細な説明】
【技術分野】
【０００１】
本発明は、光情報記録再生装置などの光ディスク装置の分野で用いられる光ヘッドに関する。
【背景技術】
【０００２】
近年、光ディスク装置が大容量記録再生装置としてよく利用されている。光ディスク装置の概略について図１４を用いて説明する。
図１４は従来の光ヘッドの概略図である。
【０００３】
光源１Ｅから射出された光は、回折格子２Ｅにより３ビームに分割されコリメータレンズ３Ｅにより平行光に変換される。平行光にされた光は、ビームスプリッタ４Ｅを透過してミラー５Ｅに照射され、ここで情報記録媒体９Ｅに伝播されるように伝播方向が変えられる。
【０００４】
ミラー５Ｅで反射した光は、対物レンズ駆動機構６Ｅを介して対物レンズ９Ｅに入射、情報記録媒体９Ｅの上に集光される。
対物レンズ駆動機構６Ｅは、レンズホルダー７Ｅに取り付けられた対物レンズ８Ｅを３軸方向に移動させる３軸アクチュエータを構成している。３軸方向とは、対物レンズ８Ｅの光軸方向と、光軸と直角な方向と、情報記録媒体９Ｅの半径方向の傾動方向とのそれぞれの方向にレンズホルダー７Ｅを駆動することである。
【０００５】
情報記録媒体９Ｅでの反射光は、前記対物レンズ８Ｅを通過して、さらに、ミラー５Ｅとビームスプリッタ４Ｅを経て光検出素子１０Ｅに集光して必要な信号をピックアップしている。
【０００６】
対物レンズ駆動機構６Ｅを詳しく説明する。
この対物レンズ駆動機構６Ｅは、１つの対物レンズ８Ｅがレンズホルダー７Ｅに取り付けられていて、対物レンズ８Ｅより情報記録媒体９Ｅの記録層上に集光されたスポットのフォーカス及び位置が理想的な光学配置へなるように前記３軸方向に微調整される。
【０００７】
理想的な光学配置は対物レンズ８Ｅに入射する光ビームの伝播方向とレンズ入射面が直交し、かつ光ビームの光軸とレンズ中心が一致し、情報記録媒体９Ｅの記録層上にフォーカスしている配置である。
【０００８】
図１４の光ヘッドは、レンズホルダー７Ｅに一つの対物レンズ８が取り付けられていたが、図１５に示すように２つの対物レンズ８Ｆ，９Ｆを、１つのレンズホルダー７Ｅに取り付けた光ヘッドも存在している。これは、ＣＤ（コンパクトディスク），ＤＶＤ（Digital Versatile Disc），ブルーレイディスク，ＨＤＤＶＤ（High Definition DVD）などの複数の種類の情報記録媒体に対応するためである。
【０００９】
図１５において、４は第１の光源の平行光、５は第２の光源の平行光、６Ｆは対物レンズ駆動機構、７Ｆはレンズホルダー、８Ｆは第１の対物レンズ、９Ｆは第２の対物レンズ、１０Ｆは位置調整用ホルダー、１１Ｆは情報記録媒体である。
【００１０】
第１の光源１Ｆから射出された光は第１の回折格子２Ｆにより３ビームに分割され、第１のコリメータレンズ３Ｆにより平行光に変換される。平行光にされた光は、第１のビームスプリッタ４Ｆを透過し第１のミラー５Ｆに照射され第１の光源の平行光４となる。
【００１１】
第１のミラー５Ｆで反射した光は、対物レンズ駆動機構６Ｆを介して対物レンズ８Ｆに入射、情報記録媒体１１Ｆの上に集光される。情報記録媒体１１Ｆでの反射光は、前記対物レンズ８Ｆを通過して、さらに、第１のミラー５Ｆと第１のビームスプリッタ４Ｆを経て第１の光検出素子１０Ｆに集光して情報記録媒体１１Ｆの情報記録層に記録された情報を得て電気信号で出力している。さらに情報記録媒体１１Ｆの情報記録層における集光光位置を示すトラッキング誤差信号や集光状況を示すフォーカス誤差信号を電気信号で出力する。
【００１２】
第２の光源１ＦＦから射出された光は第２の回折格子２ＦＦにより３ビームに分割され、第２のコリメータレンズ３ＦＦにより平行光に変換される。平行光にされた光は、第２のビームスプリッタ４ＦＦを透過し第２のミラー５ＦＦに照射され第２の光源の平行光５となる。
【００１３】
第２のミラー５ＦＦで反射した光は、対物レンズ駆動機構６Ｆを介して対物レンズ９Ｆに入射、情報記録媒体１１Ｆの上に集光される。情報記録媒体１１Ｆでの反射光は、前記対物レンズ９Ｆを通過して、さらに、第２のミラー５ＦＦと第２のビームスプリッタ４ＦＦを経て第２の光検出素子１０ＦＦに集光して必要な信号をピックアップしている。
【００１４】
第２の光検出素子１０ＦＦは照射された光から情報記録媒体１１Ｆの情報記録層に記録された情報を得て電気信号で出力している。さらに情報記録媒体１１Ｆの情報記録層における集光光位置を示すトラッキング誤差信号や集光状況を示すフォーカス誤差信号を電気信号で出力する。
【００１５】
また、（特許文献１）には、分離光学系（対物レンズ駆動機構光学系）の光束入出射孔部に透明な部材を取り付けて閉塞することで異物の進入を防止し安定した光ヘッドを実現するものがある。
【特許文献１】実開平３−２４２８号公報
【発明の開示】
【発明が解決しようとする課題】
【００１６】
図１４に示した光ヘッドでは、ヘッドの組み立てにおいて対物レンズ８Ｅの位置はレンズホルダー７Ｅや対物レンズ８Ｅの取り付け公差及び部品公差により設計位置からずれ、対物レンズ駆動機構６Ｅによる微調整の範囲を超えてしまう事がある。この場合は対物レンズ駆動機構６Ｅごと位置調整を実行し、位置調整後にレンズホルダー７Ｅと対物レンズ８Ｅの間に接着剤を充填し硬化させて固定する。
【００１７】
図１５に示した光ヘッドでも、取り付け公差および部品公差により設計位置からずれ、対物レンズ駆動機構６Ｆによる微調整の範囲を超えてしまう事がある。この場合は、第１の対物レンズ８Ｆの位置は対物レンズ駆動機構６Ｆごと位置調整をしてからレンズホルダー７Ｆ上で位置調整用ホルダー１０Ｆを調整することで第２の対物レンズ９Ｆの位置調整がなされ、第１の対物レンズ８Ｆと第２の対物レンズ９Ｆの位置調整が達成される。位置調整がなされた対物レンズ８Ｆ、及び対物レンズ９Ｆ、位置調整ホルダー１０Ｆと対物レンズ７Ｆの間に生ずる隙間を封止する封止剤として紫外線硬化樹脂を用いた場合において、封止剤に紫外線光が十分に照射されなければ、未硬化状態（液体）の封止剤が隙間に必要以上に侵入して光学部品に付着する恐れがある。さらに紫外線硬化樹脂が紫外線の照射されない位置にまで入り込んだ時、未硬化状態（液体）のままで存在し続け、長い時間をかけて隙間の奥に侵入し、やがては光学部品に付着する恐れもある。この場合、外観検査や装置検査や性能検査をすり抜けた後に悪影響を及ぼすことが推測される。
【００１８】
本発明は、対物レンズとレンズホルダーの間の隙間を十分に封止することができ、しかも、未硬化の封止剤の内部への侵入を防止して、情報記録媒体とのアクセス性能が長期間にわたって安定した光ヘッドを提供することを目的とする。
【課題を解決するための手段】
【００１９】
本発明の請求項１に記載の光ヘッドは、レンズホルダーに形成された貫通孔に光軸が位置するように対物レンズを前記レンズホルダーに取り付け、前記レンズホルダーを駆動して光源の出射光を前記対物レンズを介して集光して情報記録媒体にアクセスする光ヘッドであって、前記レンズホルダーに、前記対物レンズを支持する突起と、前記突起よりも外周側に形成された凹部を設け、前記レンズホルダーと前記対物レンズの間に注入されて硬化した封止剤を設け、注入された前記封止剤の一部を前記凹部に収容可能に構成したことを特徴とする。
【００２０】
本発明の請求項２に記載の光ヘッドは、レンズホルダーに形成された貫通孔の内周に、対物レンズを支持する段部を形成し、レンズホルダーを駆動して光源の出射光をこのレンズホルダーに取り付けられた前記対物レンズを介して集光して情報記録媒体にアクセスする光ヘッドであって、基端がレンズホルダーの前記段部に接続され先端部で前記対物レンズを支持する突起を設け、レンズホルダーの前記段部で前記突起の外周側に、前記段部の上面よりも低い凹部を設け、前記レンズホルダーと前記対物レンズの間に注入されて硬化した封止剤を設け、注入された前記封止剤の一部を前記凹部に収容可能に構成したことを特徴とする。
【００２１】
本発明の請求項３に記載の光ヘッドは、請求項２において、前記凹部を、前記突起の基端部に接して形成したことを特徴とする。
本発明の請求項４に記載の光ヘッドは、レンズホルダーに形成された貫通孔に光軸が位置するように対物レンズを前記レンズホルダーに取り付け、前記レンズホルダーを駆動して光源の出射光を前記対物レンズを介して集光して情報記録媒体にアクセスする光ヘッドであって、前記対物レンズの外周部に形成されて前記レンズホルダーに当接する鍔部を設け、前記鍔部の上面に凹部を設け、前記レンズホルダーと前記対物レンズの間に注入されて硬化した封止剤を設け、注入された前記封止剤の一部を前記凹部に収容可能に構成したことを特徴とする。
【００２２】
本発明の請求項５に記載の光ヘッドは、レンズホルダーに形成された貫通孔の内周に、対物レンズを支持する段部を形成し、レンズホルダーを駆動して光源の出射光をこのレンズホルダーに取り付けられた前記対物レンズを介して集光して情報記録媒体にアクセスする光ヘッドであって、前記対物レンズの外周部に形成されてレンズホルダーの前記段部に当接する鍔部を設け、前記鍔部の上面に凹部を設け、前記レンズホルダーと前記対物レンズの間に注入されて硬化した封止剤を設け、注入された前記封止剤の一部を前記凹部に収容可能に構成したことを特徴とする。
【００２３】
本発明の請求項６に記載の光ヘッドは、請求項５において、前記対物レンズと凹部付きの前記鍔部とを一体に形成したことを特徴とする。
本発明の請求項７に記載の光ヘッドは、請求項１〜請求項６の何れかにおいて、前記封止剤が光硬化型接着剤であることを特徴とする。
【００２４】
本発明の請求項８に記載の光ディスク装置は、請求項１〜請求項７の何れかに記載の光ヘッドを搭載したことを特徴とする。
【発明の効果】
【００２５】
対物レンズの取り付け部に生じる隙間を封止剤で封止し、かつ注入された前記封止剤の一部を、レンズホルダーまたは対物レンズの鍔部に形成した凹部に収容可能に構成したため、長期間にわたって安定した性能を維持できる。
【発明を実施するための最良の形態】
【００２６】
以下、本発明を各実施の形態に基づいて説明する。
（実施の形態１）
図１〜図３は本発明の（実施の形態１）を示す。図４は比較例を示している。
【００２７】
図２は本発明の光ヘッドの一例の構成図である。
１Ａは光源、２Ａは回折格子、３Ａはコリメータレンズ、４Ａはビームスプリッタ、５Ａはミラー、６Ａは対物レンズ駆動機構，７Ａはレンズホルダー、８Ａは位置調整用ホルダー、９Ａは対物レンズ、１１Ａは情報記録媒体、１０Ａは光検出素子である。
【００２８】
光源１Ａは情報記録媒体１１Ａに可干渉光を射出する光源である。可干渉光を射出する光源としてはレーザ光源が挙げられる。回折格子２Ａは光源１Ａから射出された光を光の回折により３ビームに分割し、周知の事実であるトラッキング誤差信号検出手段の３ビーム法を可能とする光学素子である。コリメータレンズ３Ａは光源１Ａから射出された発散光を平行光にするためのレンズである。ビームスプリッタ４Ａは伝播光を分割するための素子である。５Ａは光源１Ａから射出され、伝播光を反射して情報記録媒体１１Ａの方向へ伝播する。対物レンズ駆動機構６Ａは対物レンズの位置および傾きを微調整するもので３軸アクチュエータ（詳細を図示せず）とレンズホルダー７Ａで構成される。位置調整用ホルダー８Ａは対物レンズ９Ａとレンズホルダー７Ａを最適な位置関係で結合するもので、レンズホルダー７Ａ上において対物レンズ９Ａの位置調整を可能とする部品である。対物レンズ９Ａは情報記録媒体１１Ａの情報記録層に集光するレンズである。光検出素子１０Ａは情報記録媒体１１Ａの情報記録層から反射された光を受光して電気信号に変換する素子である。
【００２９】
このように構成された光ヘッドの動作について説明する。
光源１Ａから射出された光は回折格子２Ａにより３ビームに分割されコリメータレンズ３Ａにより平行光に変換される。平行光にされた光は、ビームスプリッタ４Ａを透過し、ミラー５Ａに照射され反射により情報記録媒体１１Ａに伝播されるように伝播方向が変えられる。この反射された光は３軸アクチュエータとレンズホルダー７Ａで構成された対物レンズ駆動機構６Ａへ照射され、位置調整用ホルダー８Ａにて最適位置に調整された対物レンズ９Ａに入射する。対物レンズ９Ａに入射した光は情報記録媒体１１Ａ上に集光され反射される。反射された光はミラー５Ａにより反射され、ビームスプリッタ４Ａに入射する。ビームスプリッタ４Ａに入射した光は分割され光検出器素子１１Ａへ照射される。光検出素子１０Ａは照射された光から情報記録媒体１１Ａの情報記録層に記録された情報を得て電気信号で出力している。さらに情報記録媒体１１Ａの情報記録層における集光光位置を示すトラッキング誤差信号や集光状況を示すフォーカス誤差信号を電気信号で出力する。トラッキング誤差信号技術とフォーカス誤差信号技術には周知事実としては３ビーム法と非点収差法が挙げられる。トラッキング制御手段はトラッキング誤差信号に基づき対物レンズ駆動機構６Ａにより対物レンズ９Ａの位置を情報記録媒体１１Ａの情報記録層上のトラックに集光位置がくるように制御する。フォーカス制御手段はフォーカス誤差信号に基づき対物レンズ駆動機構６Ａにより対物レンズ９Ａの位置を光軸方向に制御する。このように光ヘッドは光源１から射出された光を情報記録媒体１１Ａに照射し、その反射光より記録された情報を得ている。さらに情報記録媒体１１Ａに記録された情報を正しく得られるように対物レンズ９Ａの位置を制御するための情報を得ている。
【００３０】
図１は導電性のワイヤー１２で支持されたレンズホルダー７Ａを示しており、図３（ａ）（ｂ）は、位置調整用ホルダー８Ａを取り付けた対物レンズ９Ａをレンズホルダー７Ａに組み付けた状態を示している。１３は波長差を補正するためのホログラム素子である。
【００３１】
レンズホルダー７Ａの外周部には各種の駆動巻線１４ａ，１４ｂが巻回されており、中央に貫通孔１５が形成されている。貫通孔１５の内周には、位置調整用ホルダー８Ａと対物レンズ９Ａを収容する段部１６が形成されている。段部１６の最内周には、対物レンズ９Ａを支持する突起としての環状突起１７が形成されている。基端が段部１６に接続されたこの環状突起１７の先端は、段部１６の上面よりも上方に延長して形成されている。さらに、段部１６で環状突起１７の外周側に、段部１６の上面よりも低い凹部１８が形成されている。ここでは、凹部１８は環状突起１７に沿った環状溝で形成されている。但し、環状突起１７及び凹部１８は、レンズが円形ではない場合は、そのレンズの外形形状に応じた形に形成する。
【００３２】
組み立ては、図３（ａ）に示すようにレンズホルダー７Ａの環状突起１７の上に、位置調整用ホルダー８Ａを取り付けた対物レンズ９Ａをセットして、対物レンズ９Ａがレンズホルダー７Ａの設計位置になるように個別に調整した後に、矢印１９で示すようにレンズホルダー７Ａと位置調整用ホルダー８Ａの外周との間の隙間２０に、光硬化性樹脂としての紫外線硬化樹脂２１を規定量だけシリンジ（図示せず）で注入する。
【００３３】
先ず、凹部１８が設けられていない場合を比較例として図４に基づいて説明する。
図４（ａ）は、図３（ａ）と同じようにレンズホルダー７Ａの環状突起１７の上に、位置調整用ホルダー８Ａを取り付けた対物レンズ９Ａをセットして、紫外線硬化樹脂２１を規定量だけシリンジで注入した状態を示している。注入された紫外線硬化樹脂２１は、図４（ｂ）に示すように隙間２０から段部１６の上面の空間に流入する。ここで、シリンジからの紫外線硬化樹脂２１の注入量の誤差、またはレンズホルダー７Ａや位置調整用ホルダー８Ａなどの成型誤差によっては、注入された紫外線硬化樹脂２１の一部が、対物レンズ９Ａと環状突起１７の間から内側に溢れる事態が発生する。
【００３４】
この場合には、段部１６の上面に流入している紫外線硬化樹脂２１の硬化を、紫外線２２の照射によって実行しても、環状突起１７の内側に溢れた紫外線硬化樹脂２１の部分に紫外線が十分に届かずに未硬化の状態で残る可能性がある。このような場合には、検査工程では環状突起１７の内側に溢れた紫外線硬化樹脂２１が、対物レンズ９Ａと環状突起１７の先端の角部に留まって止まっていても、検査後に図４（ｃ）に示すように未硬化の紫外線硬化樹脂２１が飛散して対物レンズ９Ａや下方に配置された光学部品のホログラム素子１３などに付着する。このような場合には、対物レンズ９Ａや他の光学部品が本来の光学特性を満たさない事態が発生する。
【００３５】
これに対して、図３（ａ）に示したように前記凹部１８を設けた場合には、シリンジからの紫外線硬化樹脂２１の注入量の誤差、またはレンズホルダー７Ａや位置調整用ホルダー８Ａなどの成型誤差が発生しても、余剰分の紫外線硬化樹脂２１が図３（ｂ）に示したように凹部１８に収容されて、対物レンズ９Ａと環状突起１７の間から内側に溢れる事態の発生を確実に低減できる。
【００３６】
なお、この実施の形態における凹部１８の位置は、環状突起１７の基端部に接して形成されており、またこの位置は、セットされた対物レンズ９Ａの外周端よりもやや内側の光が透過する部分の下方位置に形成されており、凹部１８に溜まった紫外線硬化樹脂２１を、対物レンズ９Ａを介して照射された紫外線２２によって確実に硬化させることができる。
【００３７】
なお、紫外線硬化樹脂２１の硬化によってレンズホルダー７Ａと位置調整用ホルダー８Ａの調整位置を崩さないように、紫外線硬化樹脂２１の硬化後の引っ張り力が、レンズホルダー７Ａと位置調整用ホルダー８Ａの固定力よりも小さくなるように、硬化後の弾性率を考慮して紫外線硬化樹脂２１を選定して使用した。
【００３８】
このように、硬化した紫外線硬化樹脂２１を封止剤として用いることにより隙間２０からのゴミなどの異物の侵入を防ぐとともに、未硬化の紫外線硬化樹脂２１の光学部品や素子に付着する恐れが大幅に低減され、安定した光学特性を期待できる。
【００３９】
よって、情報記録媒体１１Ａに記録された情報及び光スポットのフォーカス状態信号とトラッキング状態信号が正しく得られ、安定した性能の光ヘッドを実現できる。
なお、実施の形態では、対物レンズ９Ａを支持する突起が、対物レンズ９Ａの平面形状の円形に沿った連続した環状の環状突起１７として説明したが、図５に示すように紫外線硬化樹脂２１の注入位置に対応して、具体的には、紫外線硬化樹脂２１の注入位置に対向する位置には少なくとも突起が位置するように、周方向に突起１７ａ，１７ｂ，１７ｃ，１７ｄに分割された不連続な突起でも同様な効果が期待できる。さらに、対物レンズ９Ａを支持する突起としての環状突起１７の形状が、対物レンズ９Ａの平面形状の円形に沿った環状として説明したが、光学部品である対物レンズ９Ａが矩形の場合は、対物レンズ９Ａを支持する突起の形状は対物レンズ９Ａの外形形状に応じた形でよい。これは、突起１７ａ，１７ｂ，１７ｃ，１７ｄに分割された不連続な突起の場合も同様である。
【００４０】
（実施の形態２）
図６は本発明の（実施の形態２）を示す。
図１に示した凹部１８は環状であったが、図６に示すように紫外線硬化樹脂２１の注入位置に対応した位置に独立して設けた凹部１８ａ，１８ｂ，１８ｃ，１８ｄによって構成することもできる。その他は（実施の形態１）と同じであって、図７は突起１７ａ，１７ｂ，１７ｃ，１７ｄに分割された不連続な突起の場合を示している。
【００４１】
（実施の形態３）
図８は本発明の（実施の形態３）を示す。
上記の各実施の形態では、対物レンズ９Ａの外周部に位置調整用ホルダー８Ａを取り付けたが、図８に示すように対物レンズ９Ａに前記位置調整用ホルダー８Ａに相当する部分を一体に形成した場合には、レンズホルダー７Ａの段部１６の上の広い範囲に、対物レンズ９Ａを通して紫外線を照射できるため、凹部１８の位置は環状突起１７の基端部から離して環状突起１７よりも外側に形成しても同様の効果を期待できる。突起は全周に渡り連なっている必要はなく、紫外線硬化樹脂２１の注入位置に対応して図７に示すように周方向に突起１７ａ，１７ｂ，１７ｃ，１７ｄに分割された不連続な突起でも同様な効果が期待できる。
【００４２】
さらに、対物レンズ９Ａを支持する突起の形状が、対物レンズ９Ａの平面形状の円形に沿った環状として説明したが、光学部品である対物レンズ９Ａが矩形の場合は、対物レンズ９Ａを支持する突起の形状は、対物レンズ９Ａの外形形状に応じた形でよい。これは、突起１７ａ，１７ｂ，１７ｃ，１７ｄに分割された不連続な突起の場合も同様である。その他は例えば（実施の形態１）と同じである。
【００４３】
（実施の形態４）
図９と図１０は本発明の（実施の形態４）を示す。図１１は比較例を示している。
上記の各実施の形態ではレンズホルダー７Ａの段部１６の上面に凹部１８を形成したが、この（実施の形態４）では図９に示すように位置調整用ホルダー８Ａの側に凹部１８Ｅが形成されている。レンズホルダー７Ａには前記の各実施の形態に見られた環状突起１７などの、対物レンズ９Ａを支持する突起は設けられていない。その他は例えば（実施の形態１）と同じである。
【００４４】
この実施の形態において、対物レンズ９Ａの外周部に取り付けられた位置調整用ホルダー８Ａは、レンズホルダー７Ａの前記段部１６に当接する鍔部２３の上面に凹部１８Ｅが形成されている。
【００４５】
組み立ては、図１０（ａ）に示すようにレンズホルダー７Ａの段部１６の上面に、位置調整用ホルダー８Ａを取り付けた対物レンズ９Ａをセットして、対物レンズ９Ａがレンズホルダー７Ａの設計位置になるように個別に調整した後に、矢印２４で示すように凹部１８Ｅよりも内側の位置から、光硬化性樹脂としての紫外線硬化樹脂２１を規定量だけシリンジ（図示せず）で注入する。
【００４６】
先ず、前記凹部１８Ｅが設けられていない場合を比較例として図１１に基づいて説明する。
図１１（ａ）は、図１０（ａ）と同じようにレンズホルダー７Ａに対物レンズ９Ａをセットして、図１１（ａ）に示した矢印２４で示す位置から紫外線硬化樹脂２１を規定量だけシリンジで注入した状態を示している。注入された紫外線硬化樹脂２１は、図１１（ｂ）に示すように隙間２０から段部１６の上面に流入する。ここで、シリンジからの紫外線硬化樹脂２１の注入量の誤差、またはレンズホルダー７Ａや位置調整用ホルダー８Ａなどの成型誤差によっては、注入された紫外線硬化樹脂２１の一部が、位置調整用ホルダー８Ａとレンズホルダー７Ａの隙間からレンズホルダー７Ａの貫通孔の内側に溢れる、下方に配置された光学部品に付着する事態が発生する。
【００４７】
この場合には、紫外線２２の照射によって実行しても、内側に溢れた紫外線硬化樹脂２１の部分に紫外線が届かずに未硬化の状態で残る可能性がある。このような場合には、検査工程では溢れた紫外線硬化樹脂２１が、位置調整用ホルダー８Ａとレンズホルダー７Ａの先端の角部に留まって止まっていても、検査後に図１１（ｃ）に示すように未硬化の紫外線硬化樹脂２１が飛散して対物レンズ９Ａなどに付着した場合には、光学特性の劣化が発生する。
【００４８】
これに対して、この実施の形態では図１０（ｂ）に示したように前記凹部１８Ｅを設けた場合には、シリンジからの紫外線硬化樹脂２１の注入量の誤差、またはレンズホルダー７Ａや位置調整用ホルダー８Ａなどの成型誤差が発生しても、余剰分の紫外線硬化樹脂２１が凹部１８Ｅに収容されて、内側に溢れる事態の発生を確実に低減でき、レンズホルダー７Aと位置調整用ホルダー８Ａの隙間を確実に封止することが可能となり、紫外線２２の照射によって充填された全部の紫外線硬化樹脂２１が硬化した安定した状態を得られる。
【００４９】
なお、紫外線硬化樹脂２１の硬化によってレンズホルダー７Ａと位置調整用ホルダー８Ａの調整位置を崩さないように、紫外線硬化樹脂２１の硬化後の引っ張り力が、レンズホルダー７Ａと位置調整用ホルダー８Ａの固定力よりも小さくなるように、硬化後の弾性率を考慮して紫外線硬化樹脂２１を選定して使用した。
【００５０】
（実施の形態５）
図１２は本発明の（実施の形態５）を示す。
図９に示した凹部１８Ｅは鍔部２３を横断した溝状であったが、図１２に示すように図９に示した凹部１８Ｅよりも水平方向の長さが短い凹部１８Ｆであっても同様の効果を期待できる。その他は（実施の形態４）と同じである。
【００５１】
（実施の形態６）
図１３は本発明の（実施の形態６）を示す。
上記の（実施の形態４）（実施の形態５）では、対物レンズ９Ａの外周部に位置調整用ホルダー８Ａを取り付けたが、図１３に示すように対物レンズ９Ａに前記位置調整用ホルダー８Ａに相当する部分を一体に形成した場合には、対物レンズ９Ａを通して紫外線２２を紫外線硬化樹脂２１に照射できる。その他は（実施の形態４）（実施の形態５）と同じである。
【００５２】
なお、上記の各実施の形態はレンズホルダー７Ａに一つの対物レンズ９Ａをセットした図１４に示した光ヘッドの場合を例に挙げて説明したが、レンズホルダー７Ａに二つの対物レンズ８Ｆ，９Ｆをセットした図１５に示した光ヘッドの場合にも同様に実施することができる。
【産業上の利用可能性】
【００５３】
本発明は、ＣＤ，ＤＶＤ，ブルーレイディスク，ＨＤＤＶＤなどの光ディスク装置、それを具備したビデオカメラやカーナビゲーションシステムやパーソナルコンピュータやオーディオなどのＡＶ（オーディオビジュアル）機器の光ヘッドとして、機器の安定した動作の実現に寄与できる。
【図面の簡単な説明】
【００５４】
【図１】本発明の（実施の形態１）の光ヘッドの要部斜視図
【図２】同実施の形態の光ヘッドの全体構成図
【図３】同実施の形態の組み立て工程を示す断面図
【図４】比較例の組み立て工程を示す断面図
【図５】突起の別の具体例を示す光ヘッドの要部斜視図
【図６】本発明の（実施の形態２）の光ヘッドの要部斜視図
【図７】突起の別の具体例を示す光ヘッドの要部斜視図
【図８】本発明の（実施の形態３）の断面図
【図９】本発明の（実施の形態４）の光ヘッドの要部斜視図
【図１０】同実施の形態の組み立て工程を示す断面図
【図１１】比較例の組み立て工程を示す断面図
【図１２】本発明の（実施の形態５）の光ヘッドの要部斜視図
【図１３】本発明の（実施の形態６）の断面図
【図１４】従来の光ヘッドの全体構成図
【図１５】従来の光ヘッドの全体構成図
【符号の説明】
【００５５】
６Ａ    対物レンズ駆動機構
７Ａ    レンズホルダー
８Ａ    位置調整用ホルダー
９Ａ    対物レンズ
１２    導電性のワイヤー
１３    ホログラム素子
１５    貫通孔
１６    段部
１７，１７ａ，１７ｂ，１７ｃ，１７ｄ    環状突起（突起）
１８，１８ａ，１８ｂ，１８ｃ，１８ｄ，１８Ｅ，１８Ｆ    凹部
２１    紫外線硬化樹脂（光硬化性樹脂）
２２    紫外線
２３    鍔部
【図１】
2007133916.tif 000003
【図２】
2007133916.tif 000004
【図３】
2007133916.tif 000005
【図４】
2007133916.tif 000006
【図５】
2007133916.tif 000007
【図６】
2007133916.tif 000008
【図７】
2007133916.tif 000009
【図８】
2007133916.tif 000010
【図９】
2007133916.tif 000011
【図１０】
2007133916.tif 000012
【図１１】
2007133916.tif 000013
【図１２】
2007133916.tif 000014
【図１３】
2007133916.tif 000015
【図１４】
2007133916.tif 000016
【図１５】
2007133916.tif 000017